(57)【要約】【課題】新規な形態の光ケーブルについても確実に固定可能な光ケーブルの固定構造を提供すること。【解決手段】通信機器の筐体の内部に引き込まれた光ケーブルを通信機器に固定するための固定構造であって、光ケーブルを受容するための受容手段と、受容手段にて受容された光ケーブルを受容手段との間で挟持する挟持手段とを備え、受容手段を、光ケーブルの外形に略適応した湾曲状の受容面として形成し、挟持手段は、受容手段の近傍位置に立設された一対の支持片と、当該一対の支持片に対して係合自在に設けられた取付け片とを有し、一対の支持片の相互間において受容手段にて受容された光ケーブルを、一対の支持片に係合された取付け片と、受容手段とにより、挟持可能とした。  【選択図】        図２
2006201584.tif 000002
【特許請求の範囲】
【請求項１】
通信機器の筐体の内部に引き込まれた光ケーブルを、当該通信機器に固定するための固定構造であって、
前記光ケーブルを受容するための受容手段と、
前記受容手段にて受容された前記光ケーブルを、当該受容手段との間で挟持する挟持手段と、
を備えたことを特徴とする光ケーブルの固定構造。
【請求項２】
前記受容手段を、前記光ケーブルの外形に略適応した湾曲状の受容面として形成したこと、
を特徴とする請求項１に記載の光ケーブルの固定構造。
【請求項３】
前記挟持手段は、
前記受容手段の近傍位置に立設された一対の支持片と、当該一対の支持片に対して係合自在に設けられた取付け片とを有し、前記一対の支持片の相互間において前記受容手段にて受容された前記光ケーブルを、前記一対の支持片に係合された前記取付け片と、前記受容手段とにより、挟持可能としたこと、
を特徴とする請求項１又は２に記載の光ケーブルの固定構造。
【請求項４】
前記取付け片を、前記受容手段に対して取外し自在に一体形成したこと、
を特徴とする請求項３に記載の光ケーブルの固定構造。
【請求項５】
前記通信機器の筐体には、前記光ケーブルを引き込むための開口部を設け、
前記取付け片を、前記筐体の内部における前記開口部の近傍位置に配置したこと、
を特徴とする請求項４に記載の光ケーブルの固定構造。
【請求項６】
前記取付け片に、前記取付け片の操作を容易とする取手部を備えたこと、
を特徴とする請求項３から５のいずれか一項に記載の光ケーブルの固定構造。
【請求項７】
前記受容手段の近傍位置に、前記光ケーブルを直線状として保持するケーブル保持部と、前記光ケーブルから分岐された一対の前記被覆線を、それぞれ折返し保持する折返し固定部と、当該折返し固定部から折返し方向にある前記被覆線を、当該被覆線の復元力によりそれぞれ側方から押圧保持する被覆線保持部とを備えたこと、
を特徴とする請求項１から６のいずれか一項に記載の光ケーブルの固定構造。
【発明の詳細な説明】
【技術分野】
【０００１】
本発明は、通信機器の筐体の内部に引き込まれた光ケーブルを、当該通信機器に固定するための固定構造に関する。
【背景技術】
【０００２】
現在、光ファイバを使った家庭向けのデータ通信サービスであるＦＴＴＨ（Fiber To The Home）が一般家庭に普及しつつある。このＦＴＴＨにおいては、屋外に敷設された光ケーブルが、一般家屋等の屋内または屋外の壁面に設置された光受信機に接続される。そして、光ケーブルから光受信機を介して伝送された通信データが、家庭内のパソコンやＴＶ等の各機器に伝送される（例えば、特許文献１、及び、特許文献２参照）。
【０００３】
ここで、このような光受信機に光ケーブルを接続するための従来の構造について説明する。図１４は、従来の光ケーブル２６の断面図である。この光ケーブル２６は、光ファイバ２７と、この光ファイバ２７を両側から挟む一対の補強材２８とを、被覆線２９で覆った構造（以下、第一型と称する）をしている。
【０００４】
図１５は、従来の光受信機３０の分解斜視図である。この光受信機３０は、筐体３１に、光ファイバを整理・収容するための光ファイバトレイ３２を着脱自在に収めて構成されている。ここで、筐体３１は、光電変換部３３と、出力端子３４とを備えて構成されている。このうち、筐体３１には、屋外から引き込まれた光ケーブル（図示せず）を光受信機３０に引込み、また、光受信機３０内の光ケーブル（図示せず）を屋内に引き出す光ケーブル挿通口３５が形成されている。この光ケーブル挿通口３５は、カバーで覆われていない開放構造となっている。また、光電変換部３３は、光ファイバ（図示せず）からの光信号を電気信号に変換する変換部であり、コネクタを介して光ファイバ（図示せず）に接続される。さらに、出力端子３４は、光電変換部３３で変換された電気信号を光受信機３０から出力する端子であり、電気信号に変換されたデータを家庭内のＴＶ等の各機器に伝送する同軸ケーブル（図示せず）が接続される。
【０００５】
また、光ファイバトレイ３２は、固定部３６、収容部３７、及び、メカニカルスプライサ固定部３８を備えて構成されている。このうち、固定部３６は、外部から筐体の内部に引き込まれた光ケーブルを固定するための固定手段である。図１６は、固定部３６において、図１４の光ケーブル２６が固定された状態を示した正面図である。この図に示すように、光ケーブル２６は、一対の補強材（図示せず）を被覆線２９と共に、相互に分岐した状態で固定されており、このことによって光ファイバ２７が露出される。この光ファイバ２７は、メカニカルスプライサ（図示せず）を介して他の光ファイバ（図示せず）に接続される。ここで、補強材（図示せず）と共に分岐された被覆線２９は、折返し固定部３９によって折返され、その折返し方向にさらに突出して被覆線保持部４０によって保持されている。この状態において、補強材（図示せず）及び被覆線２９は自己の復元力によって被覆線保持部４０に押圧固定される。
【０００６】
【特許文献１】特開２００３−１３９９６４号公報
【特許文献２】特開２００４−３６１４３９号公報
【発明の開示】
【発明が解決しようとする課題】
【０００７】
しかしながら、図１４に示した光ケーブルは、光ファイバを一対の補強材で挟持していることにより、補強材の連設方向のみにおいて柔軟性が失われる等、光ケーブルに方向性を生じさせ、光ケーブルに捩れを生じさせる等、好ましくない。このため、近年では、１本の補強材の縦断面中心位置で光ファイバ全体を包み、さらに、補強材を被覆線で覆う構造（以下、第二型と称する）にしたことで、より柔軟性を有し、方向性が生じることによる捩れ等の発生を低減させた、光ケーブルが採用されつつある。
【０００８】
しかしながら、上記従来の光受信機の固定部は、一対の補強材を被覆線と共に分岐することを前提とした固定構造であったため、１本の補強材のみを用いた光ケーブルを固定することに不適であった。
【０００９】
また、上記従来の光受信機では、光受信機に光ケーブルが挿入されていないと、光ケーブル挿通口から、屋内設置型では塵や埃、屋外設置型ではさらに雨滴が光受信機内部へ進入してしまうという問題があった。この対策として、パッキンで光ケーブル挿通口をふさいでしまう方法があるが、そのための追加コストが発生していた。
【００１０】
本発明は、上記に鑑みてなされたものであって、新規な形態の光ケーブルについても確実に固定可能な光ケーブルの固定構造を得ることを目的とする。
【課題を解決するための手段】
【００１１】
上述した課題を解決し、目的を達成するために、請求項１に記載の通信機器の筐体の内部に引き込まれた光ケーブルを、当該通信機器に固定するための光ケーブルの固定構造は、光ケーブルを受容するための受容手段と、受容手段にて受容された前記光ケーブルを、当該受容手段との間で挟持する挟持手段とを備えることを特徴とする。
【００１２】
また、請求項２に記載の光ケーブルの固定構造は、請求項１に記載の光ケーブルの固定構造において、受容手段を、光ケーブルの外形に略適応した湾曲状の受容面として形成したことを特徴とする。
【００１３】
また、請求項３に記載の光ケーブルの固定構造は、請求項１又は２に記載の光ケーブルの固定構造において、挟持手段は、受容手段の近傍位置に立設された一対の支持片と、当該一対の支持片に対して係合自在に設けられた取付け片とを有し、一対の支持片の相互間において受容手段にて受容された光ケーブルを、一対の支持片に係合された取付け片と、受容手段とにより、挟持可能としたことを特徴とする。
【００１４】
また、請求項４に記載の光ケーブルの固定構造は、請求項３に記載の光ケーブルの固定構造において、取付け片を、受容手段に対して取外し自在に一体形成したことを特徴とする。
【００１５】
また、請求項５に記載の光ケーブルの固定構造は、請求項４に記載の光ケーブルの固定構造において、通信機器の筐体には、光ケーブルを引き込むための開口部を設け、取付け片を、筐体の内部における開口部の近傍位置に配置したことを特徴とする。
【００１６】
また、請求項６に記載の光ケーブルの固定構造は、請求項３から５のいずれか一項に記載の光ケーブルの固定構造において、取付け片に、取付け片の操作を容易とする取手部を備えたことを特徴とする。
【００１７】
また、請求項７に記載の光ケーブルの固定構造は、請求項１から６のいずれか一項に記載の光ケーブルの固定構造において、受容手段の近傍位置に、光ケーブルを直線状として保持するケーブル保持部と、光ケーブルから分岐された一対の被覆線を、それぞれ折返し保持する折返し固定部と、当該折返し固定部から折返し方向にある被覆線を、当該被覆線の復元力によりそれぞれ側方から押圧保持する被覆線保持部とを備えたことを特徴とする。
【発明の効果】
【００１８】
この発明によれば、光ケーブルの固定構造は、固定部と接続されている取付け片を、固定部から取外して使用することにより、第一型の光ケーブルと、第二型の光ケーブルとを固定部に固定することができるので、別途取付け用の部品を用意しておかなくても製品構造が違う２種類の光ケーブルを固定することができ、光ケーブルの種類に関わらず光受信機を共通化できるため、光ケーブルを取付ける際の作業性が向上すると共に、光受信機の設置コストを低減できるという効果を奏する。
【００１９】
この発明によれば、光ケーブルの固定構造は、固定部と接続されている取付け片が、光ケーブル挿通口を略塞ぐので、光ケーブル挿通口から筐体内部への異物の進入を防ぐことができると共に、ゴムパッキン等の部材を不要として光受信機のコストを低減できるという効果を奏する。
【００２０】
この発明によれば、光ケーブルの固定構造は、取付け片の取手部を指で挟持しながら光ケーブルの取付け作業を行えるので作業性が向上するとともに、取手部が光ケーブルと光ケーブル挿通口との隙間を略塞ぐことができるので、光ケーブル接続時にも光ケーブル挿通口から筐体内部への異物の侵入を防ぐことができると共に、ゴムパッキン等の部材を不要として光受信機のコストを低減できるという効果を奏する。
【発明を実施するための最良の形態】
【００２１】
〔本発明の基本的概念〕
まず、本発明の基本的概念について説明する。本発明は、概略的に、通信機器の筐体の内部に引き込まれた光ケーブルを、当該通信機器に固定するための固定構造に関する。ここで、通信機器には、光ケーブルを固定する必要が生じる全ての機器が該当し、具体的には、上述した光受信機や、屋内における光ケーブルの終端装置（ＯＮＵ：Optical Network Unit）が該当する。以下の各実施の形態においては、通信機器が光受信機である場合について説明する。
【００２２】
この固定構造は、上述した第二型の光ケーブルを取り付け可能な構造である。その固定構造の一例としては、光ケーブルを光受信機の内部において挟持することで固定する構造である。また、この固定構造に対する付加的な構造として、光ケーブルの導入口からの異物侵入を防止するための構造を設けている。さらに、第二型の光ケーブルのみならず、上述した第一型の光ケーブルについても取り付け可能な構造とすることで、光ケーブルをその種類に関わらず取り付け可能としている。
【００２３】
〔実施の形態１〕
以下に添付図面を参照して、本実施の形態１に係る光ケーブルの固定構造を詳細に説明する。
【００２４】
（光受信機の構成について）
最初に、光受信機の基本構成を説明する。図１は、本実施の形態１に係る光ケーブルの固定構造を備えた光受信機１の斜視図であり、図２は、光受信機１を開けた状態における光ファイバトレイ３の平面図である。そして、図３は、図２の光ケーブルの固定部８を拡大した平面図であり、図４は、図３の光ケーブルの固定部８の斜視図である。
【００２５】
光受信機１は、屋外の光ケーブル（図示せず）から受信した光信号データを、そのまま他の光ケーブル（図示せず）を介して屋内へ送信し、あるいは、電気信号データに変換した上で同軸ケーブル（図示せず）を介して屋内へ送信する。この光受信機１は、概略的に、筐体２、光ファイバトレイ３、及び、光電変換部（図示せず）を備えて構成されている。
【００２６】
このうち、筐体２は、光受信機１の構造体であり、光ファイバトレイ３と光電変換部（図示せず）とを保護する保護手段である。この筐体２は、一側面を開放した略箱形状のベース部４と、このベース部４をその開放面側から略覆うカバー部５とを備えて構成されており、カバー部５はベース部４に対して回動自在に軸支されている。これらベース部４とカバー部５の下面には、それぞれ引込みレール６が形成されており、カバー部５を閉じてベース部４を略覆った状態において、これらベース部４の引込みレール６とカバー部５の引込みレール６とが相互に対向する。この対向状態において、これら引込みレール６の間には空間部が形成され、この空間部が光ケーブル挿通口７として機能する。この光ケーブル挿通口７は、外部から引込まれた光ケーブル（図示せず）を光受信機１に引込むための引込手段であり、外部から光受信機１の内部に至るように設けられた貫通路である。
【００２７】
また、光ファイバトレイ３は、光ケーブルから引出された光ファイバ（図示せず）の整理・収容を行う収容手段であり、筐体２の内部に着脱可能な構造となっている。この光ファイバトレイ３は、固定部８、取付け片９、及び、接続部１０を備えて構成されている。ここで、固定部８は、外部から引込まれた光ケーブル（図示せず）を固定する固定手段であり、光ファイバトレイ３を筐体２の内部に装着した状態において、光ケーブル挿通口７の近傍位置に配置される。また、取付け片９は、固定部８と係合することにより、外部から引込まれた光ケーブル（図示せず）を挟持する挟持手段である。この取付け片９は、薄肉状の接続部１０を介して、固定部８に対して取外し自在に一体成型されている。
【００２８】
また、光電変換部（図示せず）は、屋外の光ケーブル（図示せず）から受信した光信号データを電気信号データに変換する光電変換手段であり、筐体２の内部に配置される。
【００２９】
（光受信機における異物進入の防止）
次に、取付け片９の固定部８への接続構造について、より詳細に説明する。前述したように取付け片９は、接続部１０を介して固定部８に対して一体成型されている。ここで、取付け片９の配置位置は、光ファイバトレイ３を筐体２の内部に装着した状態において、当該取付け片９が光ケーブル挿通口７を内側から略塞ぐように決定されている。より具体的には、取付け片９は、光ケーブル挿通口７の内径と略同じ又はそれ以上の高さを有する方形板状体として形成されており、その広幅の面を光ケーブル挿通口７に対して略対向させるように、この光ケーブル挿通口７の近傍位置に配置されている。このため、光ケーブル（図示せず）が光受信機１に挿入されていない状態においても、塵、埃、雨滴等の異物が光ケーブル挿通口７を介して筐体２の内部進入することを防ぐことができる。
【００３０】
（光ケーブルの固定構造について）
次に、このような構成における光ケーブルの固定構造について説明する。初めに、固定部８の構造についてより詳細に説明する。図５は、取付け片９を分離した後の固定部８の斜視図である。この固定部８は、第二型の光ケーブルを保持するための構造と、第一型の光ケーブルを保持するための構造との両方を備えるものである。まず、第二型の光ケーブルを保持するための構造について説明する。このため、固定部８は、受容部１１と支持片１２とを備えて構成されている。
【００３１】
このうち、受容部１１は、第二型の光ケーブル（図示せず）を受容する受容手段であり、特許請求の範囲における受容手段に対応する。この受容部１１は、具体的には、光ファイバトレイ３が筐体２に装着された時の光ケーブル挿通口７の延長線上において、略直線状に設けられた溝として形成されており、その縦断面形状が第二型の光ケーブルの外形に略適応した半球の湾曲形状をしている。したがって、受容部１１の上面に第二型の光ケーブルを載置することにより、この第二型の光ケーブルの下部が湾曲形状の受容部によって受容され、第二型の光ケーブルを安定的に配置することができる。
【００３２】
また、支持片１２は、取付け片９と係合し、外部から引込まれた第二型の光ケーブル（図示せず）を挟持するものであり、取付け片９と協働して特許請求の範囲における挟持手段を構成する。具体的には、支持片１２は、受容部１１の近傍でかつ受容部１１を中心とした対称の位置に、一対で配置されている。各支持片１２は、固定部８から略垂直に延出する垂直片１３と、この垂直片１３の上端から他方の垂直片１３に向かって、固定部８と略平行に延出する保持片１４とからなる。この保持片１４の下面（受容部１１に対向する面）には、取付け片９の後述する凸部２１に略対応する位置及び形状の切欠部１５が形成されている。
【００３３】
次に、第一型の光ケーブルを保持するための構造について説明する。このため、固定部８は、ケーブル保持部１６、折返し固定部１７、及び、被覆線保持部１８を備えて構成されている。これらケーブル保持部１６、折返し固定部１７、及び、被覆線保持部１８は、受容部１１の近傍でかつ受容部１１を中心とした対称の位置に、それぞれ一対で配置されている。このうち、ケーブル保持部１６は、第一型の光ケーブル（図示せず）を保持し、固定部８から略垂直に延出する垂直片と、この垂直片の上端から他方の垂直片に向かって、固定部８と略平行に延出する保持片とからなる。また、折返し固定部１７は、第一型の光ケーブルにおける被覆線で覆われた補強材が分岐した一対の部分をそれぞれ折返し、固定部８から略垂直に延出する略円柱状突起である。また、被覆線保持部１８は、前述の被覆線で覆われた補強材が分岐した一対の部分をそれぞれ保持固定し、固定部８から略垂直に延出する側面壁と、この側面壁の上端から他方の側面壁に向かって、固定部８と略平行に延出する保持片とからなる。
【００３４】
次に、取付け片９について説明する。図６は、固定部８から分離された後の取付け片９の斜視図である。この取付け片９は、湾曲部１９と係合部２０とを備えて構成される。このうち、湾曲部１９は、取付け片９の中央に配置され、第二型の光ケーブルの外形に略適応した湾曲形状に形成されている。したがって、取付け片９によって第二型の光ケーブルを挟持した場合に、この光ケーブルの上部が湾曲部１９によって安定的に保持される。また、係合部２０は、取付け片９の両端に配置されており、その外面（取付け片９を固定部８に係合させた状態においてこの固定部８の保持片１４に対向する側の面）には、突起状の凸部２１を備えて構成される。
【００３５】
続いて、具体的に光ケーブルを固定する場合の構造について説明する。初めに、第二型の光ケーブルを固定する場合の構造について説明する。図７は、第二型の光ケーブル２２を固定部８に固定した状態を示した斜視図であり、図８は、図７のＡ−Ａ矢視断面図である。これら各図に示すように、第二型の光ケーブル２２は、固定部８の受容部１１と、固定部８から分離した取付け片９の湾曲部１９とによって挟持される。ここで、受容部１１と湾曲部１９とは、第二型の光ケーブル２２の外形に略適応した湾曲形状をしているので、第二型の光ケーブル２２を安定して挟持することができる。
【００３６】
また、図６に示された取付け片９の長さＬ１と、２つの支持片１２によって形成された空間の長さＬ２とは、相互に略同じであり、取付け片９の係合部２０を、２つの支持片１２によって形成された空間に係合させることにより、固定部８に固定させることができる。さらに、係合部２０は、湾曲部１９が受ける第二型の光ケーブル２２からの押圧力により、２つの支持片１２に押さえつけられ、そのため、２つの支持片１２によって形成された空間に係合したまま固定される。さらに、切欠部１５と凸部２１とは、係合部２０を、２つの支持片１２によって形成された空間に係合させたときに、その位置および形状が相互に対応するようになっている。そのため、切欠部１５と凸部２１とが相互に係合することにより、取付け片９を固定部８に、より安定した状態で固定させることができる。
【００３７】
次に、第一型の光ケーブルを固定する場合の構造について説明する。図９は、第一型の光ケーブル２３を固定部８に固定した状態を示した斜視図であり、図１０は、図９のＡ−Ａ矢視断面図である。これらの図に示すように、第一型の光ケーブル２３は、ケーブル保持部１６で保持され、その先で一対の被覆線で覆われた補強材が分岐し、折返し固定部１７によって折返され、その折返し方向にさらに突出して被覆線保持部１８によって保持されている。この状態において、補強材及び被覆線は自己の復元力によって被覆線保持部１８に押圧固定されることにより固定部８に固定される。
【００３８】
このように、本実施の形態１に係る光ケーブルの固定構造によれば、固定部８から取外した取付け片９を使用することにより、第二型の光ケーブル２２を固定部８に固定することができ、さらに、第一型の光ケーブル２３も、固定部８に固定することができる。したがって、別途取付け用の部品を用意しておかなくても製品構造が違う２種類の光ケーブルを固定することができるので、光ケーブルを取付ける際の作業性が向上する。
【００３９】
〔実施の形態２〕
次に、実施の形態２について説明する。この実施の形態２は、取付け片の操作性を向上させるため、取付け片に取手部を設けた点において、取手部のない実施の形態１と異なる。ただし、特に説明なき構成については実施の形態１と同様であるものとし、実施の形態１と略同一の機能を有する構成要素については、必要に応じて、実施の形態１で用いたのと同一の名称及び又は符号を用いて説明する。
【００４０】
（光受信機の構成について）
図１１は、本実施の形態２に係る光ケーブルの固定構造を備えた光受信機における光ケーブルの固定部８を拡大した平面図であり、図１２は、固定部８から分離された取付け片２４の斜視図である。この光受信機の光ファイバトレイは、固定部８と、取付け片２４と、接続部１０とを備えて構成されている。
【００４１】
（取付け片の構造について）
取付け片２４は、固定部８と係合することにより、外部から引込まれた光ケーブル（図示せず）を挟持する挟持手段であり、光ケーブルを引き込む前は、固定部８と接続した状態で配置されている。ここで、取付け片２４は、特許請求の範囲における挟持手段に対応する。この取付け片２４は、湾曲部１９、係合部２０、凸部２１、及び、取手部２５を備えて構成される。ここで、取手部２５は、湾曲部１９における取付け片２４の長辺側端面から、凸部２１側に略垂直に延出する垂直片である。このような位置に取手部２５を配置することにより、固定部８と取付け片２４とを一体成型する際に、取手部２５が固定部８における受容部が形成される面と同じ面に形成されるので、固定部８と取付け片２４との一体成型が容易となる。さらに、固定部８から取付け片２４を取り外すために取付け片２４を掴んだときに、取手部２５が障害にならない。
【００４２】
（光ケーブルの固定構造について）
このような構成における第二型の光ケーブルを固定する場合の構造について説明する。図１３は、第二型の光ケーブル２２を固定部８に固定した状態を示した斜視図である。初めに、取手部２５を指で挟持しながら、取付け片２４の湾曲部１９と、固定部８の受容部とで、第二型の光ケーブル２２を挟持する。さらに、取手部２５を指で挟持しながら、取付け片２４の係合部２０を、２つの支持片１２によって形成された空間に係合させることにより、取付け片２４が固定部８へ固定される。これら一連の作業が、取手部２５を指で挟持しながら行われることにより、第二型の光ケーブル２２が固定部８へ、容易かつ確実に取り付けられる。
【００４３】
さらに、取付け片２４の固定部８への取付け完了後、取手部２５とケーブル保持部１６との間に一定の間隔Ｗが出来るようになっている。このため、必要に応じて取付け片２４を固定部８から取り外す場合、取手部２５とケーブル保持部１６との間に指を入れるスペースがあるため、取手部２５の指による挟持が容易となる。
【００４４】
さらに、第二型の光ケーブル２２を固定部８に固定した後で、光ファイバトレイを筐体に装着した時に、取手部２５の広幅の面が、光ケーブル挿通口に対して略対向するように、この光ケーブル挿通口の近傍位置に配置されるので、第二型の光ケーブル２２と光ケーブル挿通口との隙間を略塞ぐことができる。このため、取手部２５がなく、第二型の光ケーブル２２と光ケーブル挿通口との隙間が、何ら塞がれることなく存在する実施の形態１と比べて、光ケーブル接続時にも光ケーブル挿通口７を介して筐体２に異物が侵入することを防ぐことができる。
【００４５】
このように、本実施の形態２に係る光ケーブルの固定構造によれば、光ケーブル接続時の作業性の向上と、光ケーブル接続後の異物の進入防止とが可能となる。
【００４６】
〔実施の形態に対する変形例〕
以上、本発明の各実施の形態について説明したが、本発明の具体的な構成及び手段は、特許請求の範囲に記載した各発明の技術的思想の範囲内において、任意に改変及び改良することができる。以下、このような変形例について説明する。
【００４７】
（本発明の適用分野について）
本発明の適用対象は、上述したような光受信機には限られず、光ケーブル収納箱や光コンバータその他光ケーブルを固定する必要があれば、どの様な物でも適用可能である。
【００４８】
（解決しようとする課題や発明の効果について）
まず、発明が解決しようとする課題や発明の効果は、前記した内容に限定されるものではなく、本発明によって、前記に記載されていない課題を解決したり、前記に記載されていない効果を奏することもでき、また、記載されている課題の一部のみを解決したり、記載されている効果の一部のみを奏することがある。例えば、光ケーブルの径が小さく、固定部の受容部と取付け片の湾曲部とで、安定して挟持することができない場合であっても、固定部の２つの支持片によって形成された空間から取付け片が外れず、光ケーブルが、固定部から外れない限り、本発明の課題が達成されている。
【００４９】
（固定部と取付け片との接続）
固定部と取付け片は、一体成型されていなくてもよく、固定部への光ケーブル接続前には固定部から取付け片が外れず、固定部への光ケーブル接続時に外力により取り外し可能であれば、どのような方法で接続されていてもよい。例えば、固定部と取付け片とが嵌め込みによって接続されていてもよい。
【００５０】
（取付け片の接続位置）
また、取付け片は、固定部と接続されていなくてもよく、固定部の近傍にあり光ケーブル接続の時に取り外し可能であれば、何処に接続されていてもよい。例えば、取付け片が、光ファイバトレイの他の部分に切り離し自在に接続されていてもよい。
【産業上の利用可能性】
【００５１】
この発明は、各種の光ケーブルを固定する必要がある装置の固定構造に適用でき、光ケーブルの取付けの際の作業性を向上させることに有用である。
【図面の簡単な説明】
【００５２】
【図１】本実施の形態１に係る光ケーブルの固定構造を備えた光受信機の斜視図である。
【図２】光受信機を開けた状態における光ファイバトレイの平面図である。
【図３】図２の光ケーブルの固定部を拡大した平面図である。
【図４】図３の光ケーブルの固定部の斜視図である。
【図５】取付け片が分離した後の固定部の斜視図である。
【図６】固定部から分離した後の取付け片の斜視図である。
【図７】第二型の光ケーブルを固定部に固定した状態を示した斜視図である。
【図８】図７のＡ−Ａ矢視断面図である。
【図９】第一型の光ケーブルを固定部に固定した状態を示した斜視図である。
【図１０】図９のＡ−Ａ矢視断面図である。
【図１１】本実施の形態２に係る光ケーブルの固定構造を備えた光受信機における光ケーブルの固定部を拡大した平面図である。
【図１２】固定部から分離した後の取付け片の斜視図である。
【図１３】第二型の光ケーブルを固定部に固定した状態を示した斜視図である。
【図１４】従来の光ケーブルの断面図である。
【図１５】従来の光受信機の分解斜視図である。
【図１６】固定部において、図１４の光ケーブルが固定された状態を示した正面図である。
【符号の説明】
【００５３】
１  光受信機
２  筐体
３  光ファイバトレイ
４  ベース部
５  カバー部
６  引込みレール
７  光ケーブル挿通口
８  固定部
９  取付け片
１０  接続部
１１  受容部
１２  支持片
１３  垂直片
１４  保持片
１５  切欠部
１６  ケーブル保持部
１７  折返し固定部
１８  被覆線保持部
１９  湾曲部
２０  係合部
２１  凸部
２２  第二型の光ケーブル
２３  第一型の光ケーブル
２４  取付け片
２５  取手部
２６  光ケーブル
２７  光ファイバ
２８  補強材
２９  被覆線
３０  光受信機
３１  筐体
３２  光ファイバトレイ
３３  光電変換部
３４  出力端子
３５  光ケーブル挿通口
３６  固定部
３７  収容部
３８  メカニカルスプライサ固定部
３９  折返し固定部
４０  被覆線保持部
Ｌ１  取付け片９の長さ
Ｌ２  ２つの支持片１０によって形成された空間の長さ
Ｗ  間隔
【図１】
2006201584.tif 000003
【図２】
2006201584.tif 000004
【図３】
2006201584.tif 000005
【図４】
2006201584.tif 000006
【図５】
2006201584.tif 000007
【図６】
2006201584.tif 000008
【図７】
2006201584.tif 000009
【図８】
2006201584.tif 000010
【図９】
2006201584.tif 000011
【図１０】
2006201584.tif 000012
【図１１】
2006201584.tif 000013
【図１２】
2006201584.tif 000014
【図１３】
2006201584.tif 000015
【図１４】
2006201584.tif 000016
【図１５】
2006201584.tif 000017
【図１６】
2006201584.tif 000018